(57)【要約】【課題】  本発明は、たとえ小スペースであっても充分な種類及び量の植物を植生することができ、個々の容器の手入れ、植え替え及びレイアウトの変更等の作業も簡単に行うことができる上、各容器の位置毎の給水量の偏りを是正することもできる新規な植物展示台を提供することを目的とする。【解決手段】  １ないし複数の植物育成用容器の開放口を地面に対して略並行方向に面して展示する植物展示台であって、この展示台は、基枠及び１ないし複数の容器ホルダからなり、特に、前記１ないし複数の容器ホルダを基枠に対して備え付けるにあたり、各容器ホルダがそれぞれ単独で基枠から抜差可能となるようにしたことを特徴とする植物展示台。【選択図】  図２
2010119318.tif 000002
【特許請求の範囲】
【請求項１】
１ないし複数の植物育成用容器の開放口を地面に対して略並行方向に面して展示する植物展示台であって、この展示台は、基枠及び１ないし複数の容器ホルダからなり、特に、前記１ないし複数の容器ホルダを基枠に対して備え付けるにあたり、各容器ホルダがそれぞれ単独で基枠から抜差可能となるようにしたことを特徴とする植物展示台。
【請求項２】
容器ホルダの一部ないし全部の部材が、植物育成用容器の一部ないし全部を構成する請求項１に記載の植物展示台。
【請求項３】
植物育成用容器における開放口を閉鎖するための蓋部として、複数の帯状部材を用い、各帯状部材の長さ方向における辺同士が互いに近接ないしほぼ連続して接触した状態で並列配置してなる請求項１又は２に記載の植物展示台。
【請求項４】
容器ホルダの下部には、貯水プレートが備え付けられている請求項１ないし３のいずれか１項に記載の植物展示台。
【請求項５】
毛細管現象により、貯水プレートに貯水された水を植物育成用容器に供給する請求項４に記載の植物育成用台座。
【請求項６】
貯水プレートを基枠に対して備え付けるにあたり、貯水プレートが、単独で基枠から抜差可能となるようにした請求項４又は５に記載の植物展示台。
【請求項７】
更に、移動手段を設けてなる請求項１ないし６のいずれか１項に記載の植物展示台。
【請求項８】
更に、複数の展示台同士を連結する連結手段を設けてなる請求項１ないし７のいずれか１項に記載の植物展示台。
【発明の詳細な説明】
【技術分野】
【０００１】
本発明は、１ないし複数の植物育成用容器の開放口を地面に対して略並行方向に面して配置するための植物展示台に関する。
【背景技術】
【０００２】
園芸店などで販売されている植木鉢やプランターなどの一般的な植物育成用容器は、適当な量の土壌が入る各種形状の容器において、当該土壌に植えられた植物や植物種子が、前記容器上部に設けられた開放口から上方へ向かって生育できるように設計されている。
【０００３】
これは、通常の植物が、土壌下部に向かって根を生やすと共に、上方の空間に向かって茎を伸長させる性質を鑑みて設計されたものである。
【０００４】
従って、この種従来の植物育成用容器は、上方空間を開けて設置する必要があることから、これを庭やベランダなどに複数配置して、園芸、造園等のいわゆるガーデニングを行う場合は、通常横並びに据え置くことしかできず、重ねて配置することは想定されていなかった。
【０００５】
そのため、ガーデニングのためのスペースを大きく確保し得ない場合にあっては、配置できる植物の種類及び量共に少なくなり、充分に満足のいく規模のものとはなり難かった。
【０００６】
この点につき、容器における開放口を閉鎖することにより、当該開放口を地面に対して略平行方向に向けて据え置くことができるようにした植物育成用容器が開発されている（例えば、下記特許文献１〜３参照。）。
【０００７】
【特許文献１】特開平１１−５６１０８号公開公報
【特許文献２】特開２００３−２１９７３０号公開公報
【特許文献３】特開２００４−２０１５４０号公開公報
【０００８】
又、本発明者においても、以前、開放口を地面に対して略並行方向に面して使用できる植物育成用容器を開発している（下記特許文献４参照。）
【０００９】
【特許文献４】特願２００８−２４９８２４
【００１０】
即ち、前記特許文献１〜４に記載の植物育成用容器は、該容器における開放口を何らかの蓋部で閉鎖したものであり、これより容器を上方の空間に重ねて配置することが可能になることから、たとえ小スペースであっても充分な種類及び量の植物の植生することができるのである。
【発明の開示】
【発明が解決しようとする課題】
【００１１】
ところが、このような植物育成用容器を積み重ねて配置した場合、個々の植物育成用容器の手入れや取替えが困難となり、季節ごとに咲く花の植え替えやレイアウト変更等の作業が非常に煩雑になるとの問題が生じていた。
【００１２】
又、開放口を地面に対して略並行方向に面して使用する植物育成用容器は、開放口の一部ないし全部が蓋部で閉鎖されていることから、通常の植物育成用容器と比較して給水作業を行い難く、植物育成用容器の積み重ね方によっては、給水の際に各容器の位置毎に給水量が偏るといった問題が生じる場合もあった。
【００１３】
そこで、本発明者が前記技術的課題を解決するために鋭意検討を重ねた結果、１ないし複数の植物育成用容器の開放口を地面に対して略並行方向に面して配置するための展示台であって、この展示台は、基枠及び１ないし複数の容器ホルダからなり、特に、前記１ないし複数の容器ホルダを基枠に対して備え付けるにあたり、各容器ホルダがそれぞれ単独で基枠から抜差可能となるようにしたことを特徴とする本発明の植物展示台を開発するに至ったのである。
【００１４】
即ち、本発明者は、１ないし複数の植物育成用容器の開放口を地面に対して略並行方向に面して配置するための展示台として、基枠及び１ないし複数の容器ホルダからなる本発明の植物展示台を開発したのであり、特に、前記１ないし複数の容器ホルダを基枠に対して備え付けるにあたり、各容器ホルダがそれぞれ単独で基枠から抜差可能となるように構成すれば、当該容器ホルダに積載・保持された個々の植物育成用容器を基枠から単独で取り出すことができ、これより容器個別の手入れ、植え替え及びレイアウト変更等の作業が簡単に行えるようになるとの知見を得たのである。
【００１５】
又、本発明者は、基枠に備え付ける１ないし複数の容器ホルダがそれぞれ単独で基枠から抜差可能となるように構成すれば、当該容器ホルダに積載された個々の容器に対し、十分な給水をすることが可能となり、その結果、各容器の位置毎の給水量の偏りを是正することができるとの知見も得たのである。
【００１６】
本発明は上記知見に基づき完成されたものであり、たとえ小スペースであっても充分な種類及び量の植物を植生することができ、個々の容器の手入れ、植え替え及びレイアウトの変更等の作業も簡単に行うことができる上、各容器の位置毎の給水量の偏りを是正することもできる新規な植物展示台を提供することを目的とする。
【課題を解決するための手段】
【００１７】
上記課題を解決するために、本発明の植物展示台は、１ないし複数の植物育成用容器の開放口を地面に対して略並行方向に面して配置するための展示台であって、この展示台は、基枠及び１ないし複数の容器ホルダからなり、特に、前記１ないし複数の容器ホルダを基枠に対して備え付けるにあたり、各容器ホルダがそれぞれ単独で基枠から抜差可能となるようにしたことを特徴とする。
以下、本発明の植物展示台について詳細に説明する。
【００１８】
本発明の植物展示台は、１ないし複数の植物育成用容器を配置するための展示台であり、係る１ないし複数の植物育成用容器を展示するにあたり、その開放口（植物育成用容器に植生された植物が、該容器から伸長するための進出口）を地面に対して略並行方向に面して配置することを前提とする。
【００１９】
即ち、植物育成用容器の開放口を地面に対して略並行方向に面して配置しているから、複数の容器を上方の空間に複数段に渡って配置することが可能になるのであり、その結果、たとえ小スペースであっても充分な種類及び量の植物を植生することができるのである。
【００２０】
なお、本発明において「略平行方向」とは、厳密な意味の平行に限定されるものではなく、平行方向±４５度程度は許容されることを意味する。
【００２１】
ここで、本発明において使用される植物育成用容器としては、容器内に土壌や肥料等の植物を育成するための培地を充填し、当該培地において植物種子や植物苗等を植え育てるものであれば特に限定されるものではない。又、本発明において「植物」とは、草、花、木及び野菜等の各種植物を意味し、本発明の植物育成用容器内で植え育てることができるものであれば、特に限定されるものではない。
【００２２】
そして、本発明の植物展示台は、前述の１ないし複数の植物育成用容器の開放口を地面に対して略並行方向に面して配置するための展示台であって、この展示台は、「基枠」及び１ないし複数の「容器ホルダ」からなる。
【００２３】
前記「基枠」は、本発明の植物展示台の基本骨格を構成するものであり、使用の際に、簡単に破損・変形しない程度の物理的強度を有するものであればその素材及び形状等は特に制限されるものではない。
【００２４】
一方、前記「容器ホルダ」は、前述の植物育成用容器を積載・保持するための台座であり、本発明においては、特に、この１ないし複数の容器ホルダを基枠に対して備え付けるにあたり、各容器ホルダがそれぞれ単独で基枠から抜差可能となるようにした点に最も大きな特徴を有する。
【００２５】
即ち、本発明の植物展示台は、前記１ないし複数の容器ホルダを基枠に対して備え付けるにあたり、各容器ホルダがそれぞれ単独で基枠から抜差可能となるように構成しているから、当該容器ホルダに積載・保持された個々の植物育成用容器を基枠から単独で取り出すことができ、これより容器個別の手入れ、植え替え及びレイアウト変更等の作業が簡単に行えるようになるのである。
【００２６】
又、本発明の植物展示台は、基枠に備え付ける１ないし複数の容器ホルダがそれぞれ単独で基枠から抜差可能となるように構成しているから、当該容器ホルダに積載された個々の容器に対し、十分な給水をすることが可能となり、その結果、各容器の位置毎の給水量の偏りを是正することができるのである。
【００２７】
ここで、前記「容器ホルダ」としては、植物育成用容器を積載・保持し得るものであれば、その材質及び形状等については特に限定されるものではない。
【００２８】
又、本発明においては、係る容器ホルダと植物育成用容器を、必ずしも別体とする必要はなく、容器ホルダの一部ないし全部の部材が、植物育成用容器の一部ないし全部を構成しても良い。具体的に例えば、容器ホルダの一部分が、植物育成用容器を構成する部分、例えば容器外壁の一部等を構成していたり、或は容器ホルダと植物育成用容器が殆んど区別されることなく一体化したりしても良いのである。即ち、容器ホルダと植物育成用容器において互いを構成する共用の部材が存在することにより、部品点数の低減によるコスト減や展示台のデザイン的な一体感を得ることができるのである。
【００２９】
なお付言するに、本発明において、基枠に備え付ける１ないし複数の容器ホルダがそれぞれ単独で基枠から抜差可能となるように構成するための手段としては、特に限定されるものではない。具体的に例えば、基枠から容器ホルダが引出しのように前後に抜き差しできる構造のものや、基枠の一の支柱に対して容器ホルダを回転可能に取り付け、該支柱を中心に容器ホルダが回動して抜き差しできる構造のものなどを挙げることができる。
【００３０】
ところで、前述の如く、本発明においては、植物育成用容器の開放口を地面に対して略並行方向に面して配置することを前提とするものであるところ、係る開放口から土壌等が漏出する場合がある。
【００３１】
ここで、植物育成用容器自体に、開放口からの土壌等の漏出防止機能が付与されている場合は、問題ないが、そのような機能が付与されていない植物育成用容器を用いる場合にあっては、当該容器の開放口からの土壌等の漏出を防止する手段を講じる必要がある。
【００３２】
係る土壌漏出防止手段としては、例えば、ネットや切り欠きのある板材、カバー等で容器における開放口若しくは容器ホルダにおける開放口に相当する部分を簡易的に閉鎖する方法を挙げることができる。
【００３３】
しかしながら、係る手段では、ネットの網目や板材等に設けた切り欠きから土壌等が徐々に流出する場合がある。
【００３４】
そこで、本発明においては、植物育成用容器における開放口を閉鎖するための蓋部として、複数の帯状部材を用い、各帯状部材の長さ方向における辺同士が互いに近接ないしほぼ連続して接触した状態で並列配置して、当該蓋部に生じる隙間を極力少なくすることにより、土壌等の流出を極力防止することが好ましい。
【００３５】
なお、前記蓋部を構成する帯状部材の形状としては、必ずしも文字通りの「帯状（長四角形状）」に限られず、長さ方向の適当な位置で湾曲したり屈曲したり、或いは幅広となったり細くなったりしていても良い。即ち、前記「帯状」とは、ある程度の幅があり、当該幅に対して長さ方向が比較的長い形状のものを意味する。
【００３６】
又、前記蓋部を構成する帯状部材の素材としては、紙パルプ製を含む木製、ゴム及びプラスチック等の樹脂製、或いは金属製など、特に限定されるものではない。
【００３７】
但し、本発明においては、植物育成用容器の開放口を地面に対して略平行方向に面して据え置くため、土壌の重みに耐え得る程度の強度を有する素材を帯状部材の素材として用いる必要がある。
【００３８】
その一方で、植物育成用容器に植生された植物の茎を当該帯状部材が挟む構造であることから、余り強度の高い素材を帯状部材として用いると植物茎に過度のダメージを与えるおそれが生じる。
【００３９】
そこで、できるだけ植物茎を傷めないように、帯状部材における少なくとも植物茎に接する箇所には、緩衝性素材を介在させることが好ましい。
【００４０】
即ち、帯状部材と植物茎の間に緩衝性のある素材を介在させることにより、帯状部材が植物茎にソフトに接触することができ、過度のダメージが植物茎に与えられることを防止するのである。
【００４１】
この場合、特に、帯状部材における少なくとも長さ方向の少なくとも一辺全体にわたって、緩衝性素材を不連続若しくは連続的に配することが好ましく、このような二層ないし三層構造の帯状部材を用いることにより、必要な帯状部材の強度を維持したまま植物茎に与えるダメージを軽減することができ、しかも帯状部材を並列配置した際に、各帯状部材がより近接することが可能となり、蓋部の密閉性がより向上するのである。
【００４２】
このような緩衝性素材としては、植物茎がそれぞれ有する負荷に対する耐性に応じて適宜選択すればよく特に限定されるものではないが、通常、ゴム、スポンジ、綿、布及び紙（パルプ材）などが一般的に好適に用いられる。
【００４３】
なお、必ずしも蓋部は植物育成用容器若しくは容器ホルダに固定する必要はないが、土壌の重みに抗するために蓋部を植物育成用容器や容器ホルダに固定することが好ましい。
【００４４】
ここで、蓋部を植物育成用容器や容器ホルダに固定する手段としては、特に限定されるものではなく、例えば、接着剤や粘着剤による付着手段や、ネジや釘などの固着部材を用いた固着手段等の任意の固定手段を用いれば良い。
【００４５】
しかしながら、蓋部の取り外しを容易にする観点からは、植物育成用容器における開放口周縁部若しくは容器ホルダにおける開放口に相当する部分にガイドレールなどの嵌挿部を配し、複数の帯状部材が当該嵌挿部に順次嵌まり込むことにより蓋部を形成すると共に固定されるように構成することがより好ましい。
【００４６】
本発明の展示台においては、前記構成に加えて、更に容器ホルダの下部に貯水プレートを備え付けることが好ましい。
【００４７】
即ち、容器ホルダの下部に貯水能を有する貯水プレートを配し、給水作業のたびに余剰水が該プレートに溜まるようにして、貯水された水が補助的な給水を行うように構成することにより、給水作業の間隔を延ばすことが可能になるのである。
【００４８】
なお、貯水プレートに貯水された水を植物育成用容器に供給する方法としては、特に限定されるものではないが、具体的に例えば、植物育成用容器の下部に１ないし複数の給水口を設け、該給水口が貯水プレートに溜まった水に接触するようにする方法を挙げることができる。
【００４９】
特に本発明においては、前記給水口に布やロープ、或はスポンジなどの毛細管現象により水を移動させる部材を介在させると共に、該部材の一端を貯水プレートに溜まった水に接触させ、毛細管現象により、貯水プレートに貯水された水を植物育成用容器に供給することが好ましい。
【００５０】
なお、前記貯水プレートを基枠に対して備え付けるにあたっては、当該貯水プレートが、それぞれ単独で基枠から抜差可能となるようにすることが好ましい。
【００５１】
即ち、容器ホルダと同様、貯水プレートについても単独で基枠から抜差可能となるようにすれば、個々の給水量の管理や掃除等の作業を簡便なものとすることができるのである。
【００５２】
ところで、本発明の展示台に対して、土壌等を充填した植物育成用容器を搭載すると、かなりの重量になり、展示位置の変更作業等が非常に困難になることが予想される。
【００５３】
そこで、本発明においては、更に、植物展示台に対して移動手段を設けることが好ましい。この移動手段としては、特に限定されるものではないが、具体的に例えば、キャスター等の回転体を利用した移動手段が一般的に好適に用いられる。
【００５４】
又、本発明の展示台においては、更に、複数の展示台同士を連結する連結手段を設けることが好ましい。
【００５５】
即ち、ジョイント等の何らかの連結手段により、複数の展示台を横方向及び／又は縦方向に増設することができれば、建物外壁などの一面を緑化することも可能となり、温暖化対策等に利用することも可能になるのである。
【発明の効果】
【００５６】
本発明は、前記構成を有するものであり、たとえ小スペースであっても充分な種類及び量の植物を植生することができ、個々の容器の手入れ、植え替え及びレイアウトの変更等の作業も簡単に行うことができる上、各容器の位置毎の給水量の偏りを是正することもできる新規な植物展示台である。
【００５７】
即ち、本発明の植物展示台は、前記１ないし複数の容器ホルダを基枠に対して備え付けるにあたり、各容器ホルダがそれぞれ単独で基枠から抜差可能となるように構成しているから、当該容器ホルダに積載・保持された個々の植物育成用容器を基枠から単独で取り出すことができ、これより容器個別の手入れ、植え替え及びレイアウト変更等の作業が簡単に行えるようになるのである。
【００５８】
又、本発明の植物展示台は、基枠に備え付ける１ないし複数の容器ホルダがそれぞれ単独で基枠から抜差可能となるように構成しているから、当該容器ホルダに積載・保持された個々の容器に対し、十分な給水をすることが可能となり、その結果、各容器の位置毎の給水量の偏りを是正することができるのである。
【発明を実施するための最良の形態】
【００５９】
以下、本発明の実施例を説明するが、本発明はこの実施例に限定されるものではない。
【００６０】
図１（ａ）は、実施例に係る本発明の植物展示台１を示す模式図であり、図１（ｂ）は、この植物展示台１において、植物が植生した状態を示す模式図である。
【００６１】
即ち、本実施例における本発明の植物展示台１は、複数の植物育成用容器４を上方向に数段積み重ねて展示するためのものであり、当該植物育成用容器４を展示するにあたり、容器４の開放口を地面に対して略並行方向に面して配置しているから、複数の容器４を上方の空間に複数段に渡って配置することが可能になるのであり、その結果、たとえ小スペースであっても充分な種類及び量の植物を植生することができるのである。
【００６２】
更に詳しくは、この植物展示台１は、基枠２及び複数の容器ホルダ３からなり、本実施例において基枠２は、４本の支柱２１を骨格部位とし、係る支柱２１を介して金網２２を周壁として設けたものである。なお、本実施例においては、植物展示台１の移動作業を簡便にすべく、基枠２における４本の支柱２１の各下端に移動手段２３としてのキャスターが取り付けられている。
【００６３】
一方、本実施例において容器ホルダ３は、前記基枠２における一の支柱２１に対して回転可能に取り付けられており、図２に示すように、該支柱２１を中心に容器ホルダ３が回動して基枠２から抜き差しできるようになっている。
【００６４】
即ち、本実施例における本発明の植物展示台１は、複数の容器ホルダ３を基枠２に対して備え付けるにあたり、各容器ホルダ３がそれぞれ単独で基枠２から抜差可能となるように構成しているから、当該容器ホルダ３に積載・保持された個々の植物育成用容器４を基枠２から単独で取り出すことができ、これより容器個別の手入れ、植え替え及びレイアウト変更等の作業が簡単に行えるようになるのである。
【００６５】
又、本実施例における本発明の植物展示台１は、基枠２に備え付ける複数の容器ホルダ３がそれぞれ単独で基枠２から抜差可能となるように構成しているから、当該容器ホルダ３に積載された個々の植物育成用容器４に対し、十分な給水をすることが可能となり、その結果、各容器の位置毎の給水量の偏りを是正することができるのである。
【００６６】
ここで、本実施例において用いられる容器ホルダ３としては、植物育成用容器４を積載・保持し得るものであれば、その材質及び形状等については特に限定されるものではなく、容器ホルダ３の一部ないし全部の部材が、植物育成用容器４の一部ないし全部を構成しても良い。
【００６７】
具体的に例えば、図３に示すように、容器ホルダ３と植物育成用容器４が別体となっているものに限らず、図４に示すように、容器ホルダ３と植物育成用容器４が殆んど区別されることなく一体化したりしていても良いのである。
【００６８】
なお、本実施例においては、植物育成用容器４の開放口からの土壌等の漏出を防止するために、植物育成用容器４における開放口を閉鎖するための蓋部５として、複数の帯状部材５１を用い、各帯状部材５１の長さ方向における辺同士が互いに近接ないしほぼ連続して接触した状態で並列配置して、当該蓋部５に生じる隙間を極力少なくしている。
【００６９】
又、前記帯状部材５１につき、その長さ方向の一辺全体にわたって、緩衝性素材５２を連続的に配することにより、必要な帯状部材の強度を維持したまま植物茎に与えるダメージを軽減すると共に蓋部５の密閉性を向上している。
【００７０】
更に、蓋部の取り外しを容易にすべく、植物育成用容器４における開放口周縁部若しくは容器ホルダ３における開放口に相当する部分には、嵌挿部４１としてのガイドレールを配し、複数の帯状部材が当該嵌挿部に順次嵌まり込むことにより蓋部を形成すると共に固定されるように構成している。
【００７１】
そして、本実施例における本発明の展示台１においては、前記構成に加えて、更に容器ホルダ３の下部に図５に示す貯水プレート６を備え付けている。
【００７２】
即ち、容器ホルダ３の下部に貯水能を有する貯水プレート６を配し、給水作業のたびに余剰水が該プレート６に溜まるようにして、貯水された水が補助的な給水を行うように構成することにより、給水作業の間隔を延ばすことが可能になるのである。
【００７３】
なお、本実施例においては、前記貯水プレート６に貯水された水を植物育成用容器４に供給する方法として、植物育成用容器４の底面に十字型の給水口６１を設け、該給水口６１に布やロープ、或はスポンジなどの毛細管現象により水を移動させ得る部材（図示せず。）を介在させると共に、該部材の一端を貯水プレート６に溜まった水に接触させ、毛細管現象により、貯水プレート６に貯水された水を植物育成用容器４に供給する手段を採用している。
【００７４】
又、本実施例においては、容器ホルダ３と同様、貯水プレート２についても図６に示すように、単独で基枠２から抜差可能となるようにしており、これにより、個々の給水量の管理や清掃等の作業を簡便なものとすることができるのである。
【００７５】
図７は、本実施例に係る本発明の展示台１を、連結手段としてのジョイントを介して横方向に複数連結して増設したものであり、建物外壁などの一面に並べた壁面緑化による温暖化対策等に利用することも可能となるのである。
【図面の簡単な説明】
【００７６】
【図１】図１は、実施例に係る本発明の植物展示台を示す模式図である。
【図２】図２は、実施例に係る本発明の植物展示台における容器ホルダ（及び貯水プレート）を抜き差ししている状態を示す模式図である。
【図３】図３は、実施例に係る本発明の植物展示台における容器ホルダ及び植物育成用容器を示す模式図である。
【図４】図４は、実施例に係る本発明の植物展示台における別の容器ホルダ及び植物育成用容器を示す模式図である。
【図５】図５は、実施例に係る本発明の植物展示台における貯水プレートを示す模式図である。
【図６】図６は、実施例に係る本発明の植物展示台における貯水プレートを抜き差ししている状態を示す模式図である。
【図７】図７は、本実施例に係る本発明の展示台１を、連結手段を介して横方向に複数連結して増設した状態を示す模式図である。
【符号の説明】
【００７７】
１  植物展示台
２  基枠
３  容器ホルダ
４  植物育成用容器
５  蓋部
６  貯水プレート
【図１】
2010119318.tif 000003
【図２】
2010119318.tif 000004
【図３】
2010119318.tif 000005
【図４】
2010119318.tif 000006
【図５】
2010119318.tif 000007
【図６】
2010119318.tif 000008
【図７】
2010119318.tif 000009